(57)【要約】      （修正有）【課題】鍵の収納操作の容易性や鍵の抜け落ち防止を確実にしてより利便性の高い鍵の保管ファイルを提供する。【解決手段】全体は２つ折りに開閉する表紙体１に成り、両表紙体の各周辺部に内側方への曲折巾部３,５を設け、この両表紙体の曲折巾部が相対する適所に接着部７,８を設け、前記両表紙体の内側部に多数個の収納袋部９を周囲に溶着部１０を介して設け、この収納袋部の本体は表紙体の内側面に接離するとともにその上端開口部１２は外開き状に形成して成るものである。【選択図】図２
0003117547.tif 000002
【実用新案登録請求の範囲】
【請求項１】
全体は２つ折りに開閉する表紙体に成り、両表紙体の各周辺部に内側方への曲折巾部を設け、この両表紙体の曲折巾部が相対する適所に接着部を設け、前記両表紙体の内側部に多数個の収納袋部を周囲に溶着部を介して設け、この収納袋部の本体は表紙体の内側面に接離するとともにその上端開口部は外開き状に形成して成ることを特徴とする鍵保管用ファイル。
【請求項２】
全体は２つ折りに開閉する表紙体に成り、両表紙体の各周辺部に内側方への曲折巾部を設け、この両表紙体の曲折巾部が相対する適所に接着部を設け、前記両表紙体の内側部に多数個の収納袋部を周囲に溶着部を介して設け、この収納袋部の本体は表紙体の内側面に接離するとともにその上端開口部は外開き状に形成し、前記収納袋部の上端開口部の左右基端部にはＵ形切欠部を設け、この両切欠部間を筋押し部で連結し、この筋押し部の左右中間部には溶着部を横切らせて成ることを特徴とする鍵保管用ファイル。
【考案の詳細な説明】
【技術分野】
【０００１】
本考案は、多数の鍵を保管しておくためのファイルに関するものである。
【背景技術】
【０００２】
多数の鍵を保管しておくためのファイルとしては、従来、次のようなものが公知となっている。
【０００３】
【特許文献１】実公昭５４−３０３１４号公報
【特許文献２】実開昭５９−２２７５号公報
【特許文献３】特開平９−４２９０号公報
【０００４】
しかしながら、いずれの技術にあっても、鍵の収納操作の容易性や万一の鍵の抜け落ち時の救済性などの面で欠点があった。
【考案の開示】
【考案が解決しようとする課題】
【０００５】
そこで、本考案は、これらの欠点を一掃し、より利便性の高い鍵の保管ファイルを提供することを目的とするものである。
【課題を解決するための手段】
【０００６】
全体は２つ折りに開閉する表紙体に成り、両表紙体の各周辺部に内側方への曲折巾部を設け、この両表紙体の曲折巾部が相対する適所に接着部を設け、前記両表紙体の内側部に多数個の収納袋部を周囲に溶着部を介して設け、この収納袋部の本体は表紙体の内側面に接離するとともにその上端開口部は外開き状に形成して成るものである。
【０００７】
さらに、前記収納袋部の上端開口部の左右基端部にはＵ形切欠部を設け、この両切欠部間を筋押し部で連結し、この筋押し部の左右中間部には溶着部を横切らせて成るものである。
【考案の効果】
【０００８】
第１に、上端開口部を除き周囲が溶着している収納袋部はその上端開口部が外開きの舌片状態に成るから、指先で摘んで袋部本体への鍵の収納や取出しがきわめて円滑かつ容易にできるようになる。
【０００９】
第２に、上端開口部の左右基端部にはＵ形切欠部を設けているから、鍵の出し入れ時にかかる袋部本体への開動力を緩和しフィルム体の切損を防止することができる。
【００１０】
第３に、前記上端開口部のＵ形切欠部間を筋押し部で連結するとともにその左右中間部には溶着部を横切らせていることによって、袋部本体に若干の膨らみを与えているから、鍵の収納保持を確実に行うことができる。
【００１１】
第４に、両表紙体の内側部周辺には曲折巾部を設けているから、万一収納している鍵が袋部から脱離したとしても、周囲の曲折巾部内に確実に抑止しておくことができるようになる。
【００１２】
第５に、前記両表紙の内側曲折巾部の適所には接着部を設けているから、ファイルを確実に閉じた状態で携帯したり、収納しておくことができる。
【考案を実施するための最良の形態】
【００１３】
上端開口部を除き周囲が溶着している収納袋部はその上端開口部が外開きの舌片状態に成るから、指先で摘んで袋部本体への鍵の収納や取出しを行う。
【００１４】
上端開口部の左右基端部にはＵ形切欠部を設け、鍵の出し入れ時にかかる袋部本体への開動力を緩和している。
【００１５】
前記上端開口部のＵ形切欠部間を筋押し部で連結するとともにその左右中間部には溶着部を横切らせ、袋部本体に若干の膨らみを与え、鍵の収納保持を行う。
【００１６】
両表紙体の内側部周辺には曲折巾部を設け、収納している鍵が袋部から脱離しようとしても、周囲の曲折巾部の内側に抑止する。
【００１７】
前記両表紙の内側曲折巾部の適所には接着部を設け、ファイルを常に閉じた状態で携帯所持する。
【実施例】
【００１８】
１，１は全体が２つ折に開閉するように成る表紙体で、この中間部には折り畳み巾部２を設ける。
【００１９】
３，３，３は一方の表紙体１の周辺部に内側方に曲折して設けた曲折巾部で、この各曲折巾部は高さ４，４，４を有している。
【００２０】
５，５，５は他方の表紙体１の周辺部に内側方に曲折して設けた曲折巾部で、この各曲折巾部は高さ６，６，６を有している。
【００２１】
７，７は一方の表紙体１の縦形の曲折巾部３の上下端部に設けた接着部（雄部）で、この接着部に対応する被接着部（雌部）８，８を他方の表紙体１の縦形の曲折巾部５の上下端部に設ける。
【００２２】
９・・は前記両表紙体１，１の内側面部に上下多段に周囲の溶着部１０・・を介して並設する収納袋部で、フィルム状に成るこの収納袋部の本体１１・・は前記表紙体面に接離する状態に成り、その上端開口部１２・・は外開き状に成る。
【００２３】
この収納袋部９の上端開口部１２は舌片状態に成るが、この舌片部の基端部に当たる収納袋部の左右両端部にはＵ形の切欠部１３，１３を設けている。
【００２４】
１４・・は前記収納袋部９の本体１１において左右のＵ形切欠部１３，１３間を連結するように設けたＵ形状に成る筋押し部で、この筋押し部によって本体に若干の膨らみを持たせて鍵の収納を容易にする。
【００２５】
１５，１５は収納袋部９の本体１１の中間部に前記筋押し部１４を横切らせて設ける溶着部である。
【図面の簡単な説明】
【００２６】
【図１】全体の開口状態を示す斜視図
【図２】全体の全開状態を示す正面図で、要部を拡大している。
【図３】図２のＡ−Ａ線切断部断面図
【符号の説明】
【００２７】
１，１                表紙体
２                    折り畳み巾部
３，３，３            曲折巾部
４，４，４            高さ部
５，５，５            曲折巾部
６，６，６            高さ部
７，７                接着部
８，８                被接着部
９・・                収納袋部
１０・・              溶着部
１１・・              収納袋部の本体
１２・・              上端開口部
１３，１３            Ｕ形の切欠部
１４・・              筋押し部
１５，１５            溶着部
【図１】
0003117547.tif 000003
【図２】
0003117547.tif 000004
【図３】
0003117547.tif 000005